(57)【要約】【課題】  再生する光ディスクの初期の誤判別を確実に回避し、安定した起動時間でディスクを再生できる信頼性の高い光ディスク再生装置を得る。【解決手段】  複数種類の光ディスク１のいずれか一方にパラメータを固定して初期設定し、光ディスク１の起動途中に発生する光ディスクの種類により異なる物理的特性の差とパラメータに基づいて起動途中の光ディスクを判別し、光ディスクが初期設定の光ディスクでない場合は、パラメータの設定を他方の光ディスクへ切り換えて起動を行なうシステムコントローラ８を用い、さらに、光ディスクを走査する光ピックアップからの再生出力を復調する復調回路１０を用い、光ディスクの起動途中の光ディスクの種類により異なる物理的特性の差として復調回路のＰＬＬのロックに関連した情報を用いる。【選択図】        図１
2006085867.tif 000002
【特許請求の範囲】
【請求項１】
複数種類の光ディスクのいずれか一方にパラメータを固定して初期設定するパラメータ設定手段と、
上記光ディスクの起動途中に発生する光ディスクの種類により異なる物理的特性の差と上記パラメータに基づいて上記起動途中の光ディスクを判別し、該光ディスクが初期設定の光ディスクでない場合は、上記パラメータの設定を他方の光ディスクへ切り換えて起動を行なう光ディスク判別手段と
を備えたことを特徴とする光ディスク再生装置。
【請求項２】
光ディスク判別手段は、光ディスクを走査する光ピックアップからの再生出力を復調する復調手段を含み、光ディスクの起動途中の光ディスクの種類により異なる物理的特性の差として上記復調手段のＰＬＬのロックに関連した情報を用いることを特徴とする請求項１記載の光ディスク再生装置。
【請求項３】
復調手段のＰＬＬのロックに関連した情報として、上記ＰＬＬをロックさせた時のロック周波数の違い、光ディスクの回転数の違いおよびジッタ値の違いの少なくとも１つを用いることを特徴とする請求項２記載の光ディスク再生装置。
【発明の詳細な説明】
【技術分野】
【０００１】
この発明は、記録密度の異なる光ディスクを再生する光ディスク再生装置に関するものである。
【背景技術】
【０００２】
従来、光ディスク再生装置では、再生起動時にその光ディスクがＣＤであるのかＤＶＤであるのかを光学的な反射特性の差による各種信号レベルやピックアップの可動範囲の差による合焦に至った時のフォーカスレンズ駆動信号レベルなどにより判別を行ない、それぞれの再生に合わせた設定を行なった後に再生していた（例えば、特許文献１参照）。
【０００３】
【特許文献１】特開平８−２２１８９０号公報
【発明の開示】
【発明が解決しようとする課題】
【０００４】
しかしながら、上記公報に記載されているような光ディスク再生装置の場合には、ピックアップの光学的・電気的なばらつき、ディスクの光学的な特性のばらつき、あるいは機構の寸法のばらつきによる影響で光ディスクの判別を行なう際に、誤判別を生じるという問題点があった。また、誤判別によりそれぞれの光ディスクにて安定した起動時間が得られないという問題点があった。
【０００５】
この発明は、上記のような課題を解決するためになされたもので、再生する光ディスクの初期の誤判別を確実に回避し、安定した起動時間で光ディスクを再生できる信頼性の高い光ディスク再生装置を得ることを目的とする。
【課題を解決するための手段】
【０００６】
この発明に係る光ディスク再生装置は、複数種類の光ディスクのいずれか一方にパラメータを固定して初期設定するパラメータ設定手段と、光ディスクの起動途中に発生する光ディスクの種類により異なる物理的特性の差とパラメータに基づいて起動途中の光ディスクを判別し、この光ディスクが初期設定の光ディスクでない場合は、そのパラメータの設定を他方の光ディスクへ切り換えて起動を行なう光ディスク判別手段とを備えたものである。
【発明の効果】
【０００７】
この発明は、再生する光ディスクの初期の誤判別を確実に回避することができ、それぞれの光ディスクで安定した起動時間が得られるという効果がある。
【発明を実施するための最良の形態】
【０００８】
以下、この発明の実施の一形態を説明する。
実施の形態１．
図１は、この発明の実施の形態１による光ディスク再生装置の構成を示すブロック図である。
図１において、例えばＣＤやＤＶＤ等の光ディスク１と、この光ディスク１が装着されるターンテーブルを回転駆動するモータ２と、光ディスク１に対向してそれぞれ設けられたＣＤ用光ピックアップ３およびＤＶＤ用光ピックアップ４と、モータ２を駆動するモータ駆動回路５と、ＣＤ用光ピックアップ３とＤＶＤ用光ピックアップ４の半導体レーザ（図示せず）をそれぞれ点灯するためのレーザ駆動信号を発生するレーザ駆動回路６と、上記のモータ駆動回路５、レーザ駆動回路６および後述のサーボ制御回路７の動作を制御するシステムコントローラ８が設けられる。
【０００９】
また、ＣＤ用光ピックアップ３とＤＶＤ用光ピックアップ４のそれぞれの光検出器（図示せず）からの検出信号からサーボ信号とＲＦ信号を出力するプリアンプ９が設けられ、サーボ制御回路７は、プリアンプ９からのサーボ信号とシステムコントローラ８からの制御信号に基づいてアクチュエータ駆動信号を出力してＣＤ用光ピックアップ３とＤＶＤ用光ピックアップ４のそれぞれアクチュエータ（図示せず）を駆動してフォーカス、トラッキング制御を行なう。
【００１０】
また、プリアンプ９からのＲＦ信号の周波数が一定になるように位相制御を行なうためのＰＬＬ（Ｐｈａｓｅ  Ｌｏｃｋｅｄ  Ｌｏｏｐ）を有し、プリアンプ９からのＲＦ信号を復調してデータ信号をシステムコントローラ８等に出力する復調手段としての復調回路１０が設けられ、システムコントローラ８では、復調回路１０から入力されたデータ信号中のクロック信号に基づいて光ディスク１が規定の速度で回転するようにモータ駆動回路５を制御し、また、ＣＤ用光ピックアップ３とＤＶＤ用光ピックアップ４の半導体レーザ（図示せず）をそれぞれ点灯するためのレーザ駆動信号を発生するようにレーザ駆動回路６を制御する。また、復調回路１０からのデータ信号は、システムコントローラ８以外の外部にも出力され、オーディオ信号、ビデオ信号等に変換される。
【００１１】
また、システムコントローラ８により設定され、装着する光ディスク１の種類に応じて復調回路１０のＰＬＬをロックさせたときのロック周波数、ＰＬＬロック後のディスクの回転数およびＰＬＬをロックさせたときのジッタ値をそれぞれ情報（パラメータ）として記憶する設定メモリ１１が設けられる。従って、システムコントローラ８は、起動途中に光ディスク１の種類によりその物理的特性に差が出るのに着目して、設定メモリ１１からの情報と復調回路１０から読み出されたデータを比較することで、復調回路１０のＰＬＬをロックさせた時のロック周波数の違いあるいは動作異常により、または、復調回路１０のＰＬＬをロックさせた時のディスクの回転数の違いあるいは動作異常により、若しくは、復調回路１０のＰＬＬをロックさせた時のジッタ値の違いに基づいて、光ディスク１の種類すなわちＣＤであるかＤＶＤかを判定する。よって、システムコントローラ８はパラメータ設定手段として機能すると共に、復調回路１０および設定メモリ１１を含めて光ディスク判別手段としても機能する。
【００１２】
勿論、この判定の際に用いる光ディスク１の種類により異なる物理的特性は、単独でもよいし、これらを組み合わせて用いてもよい。ここで、復調回路１０のＰＬＬのロックとは、通常、光ディスク１の内周と外周を光ピックアップで走査するときのモータ２の回転速度の一定化を図るため、プリアンプ９の出力側に得られるＲＦ信号の周波数が一定になるように位相制御された状態を云う。
【００１３】
図２は、システムコントローラ８の内部構造の一例を示す構成図である。
図２において、システムコントローラ８は、復調回路１０から読み出された初期設定のデータが入力され、このデータを設定メモリ１１からのＣＤまたはＤＶＤの情報、つまり各パラメータとつき合わせて光ディスク１がＣＤかＤＶＤかを比較判断する情報判断部８１と、この情報判断部８１の判断結果に基づいて選択されるＣＤまたはＤＶＤ駆動用の制御信号を出力する駆動部８２と、情報判断部８１の判断結果に基づき、ＣＤ設定かＤＶＤ設定かを切替えスイッチとしてのスイッチ８３を用いて切替え、サーボ制御回路７の設定値切替えやモータ駆動回路５、レーザ駆動回路６を切替えて動作させる。なお、駆動部８２は、ＣＤ駆動用のＣＤ駆動部８２ａと、ＤＶＤ駆動用のＤＶＤ駆動部８２ｂとからなり、ＣＤ駆動部８２ａの出力側はスイッチ８３の接点ａ側に接続され、ＤＶＤ駆動部８２ｂの出力側はスイッチ８３の接点ｂ側に接続され、スイッチ８３の共通出力端子がモータ駆動回路５等の入力側に接続されている。
【００１４】
次に、動作について、図３を参照して説明する。
まず、光ディスク１をモータで回転駆動されるターンテーブル２に装着し（ステップＳＴ１）、この装着された光ディスク１に関する各パラメータをシステムコントローラ８により設定メモリ１１に初期設定し（ステップＳＴ２）、モータ２を回転して、初期設定した光ディスク１のＣＤ用光ピックアップ３またはＤＶＤ用光ピックアップ４をレーザ駆動回路６により点灯させて、起動処理に入る（ステップＳＴ３）。
【００１５】
次に、装着した光ディスク１が初期設定したパラメータと一致するか否かをシステムコントローラ８により判別し（ステップＳＴ４）、つまり、起動してよいか否かを判別する。この起動途中には、光ディスク１の物理的特性に差が出るので、これも基に起動の可否を判定する。例えば、復調回路１０のＰＬＬをロックさせた時のロック周波数の違いあるいは動作異常により光ディスク１がＣＤかＤＶＤであるかを判定し、または、復調回路１０のＰＬＬをロックさせた時の光ディスク１の回転数の違いあるいは動作異常により光ディスク１がＣＤかＤＶＤであるかを判定し、若しくは、復調回路１０のＰＬＬをロックさせた時のジッタ値の違いにより光ディスク１がＣＤかＤＶＤであるかを判定する。
【００１６】
そして、ステップＳＴ４で、起動してよければ、システムコントローラ８により復調回路１０から読み出されたデータよりその光ディスク１がＣＤであるかＤＶＤであるかを識別し（ステップＳＴ５）、その識別された光ディスク１が設定メモリ１１に初期設定されているパラメータと一致するか否かを判別し（ステップＳＴ６）、一致すれば、その光ディスク１は初期設定したパラメータのＣＤまたはＤＶＤに相当するので、再生モードを続行し（ステップＳＴ７）、一連の動作を終了する。
【００１７】
一方、ステップＳＴ４で起動してよくなければ、その光ディスク１は初期設定したパラメータのものと異なるので、その各パラメータの設定を切換えるべく、システムコントローラ８により設定メモリ１１に対してパラメータの再設定を行い（ステップＳＴ８）、モータ２を回転して、再設定した光ディスク１の光ピックアップを点灯させて、再起動処理に入る（ステップＳＴ９）。
次に、装着した光ディスク１が再設定したパラメータと一致するか否かを判別し（ステップＳＴ１０）、つまり、再起動してよいか否かを判別する。この場合も、上述のステップＳＴ４と同様の判定処理を用いてよい。
【００１８】
そして、ステップＳＴ１０で起動してよければ、復調回路１０から読み出されたデータよりその光ディスク１を識別し（ステップＳＴ１１）、光ディスク１が再設定されたパラメータと一致するか否かを判別し（ステップＳＴ１２）、つまり、光ディスク１がシステムコントローラ８により再設定したものと合っているか否かを判別し、合っていれば、再生モードを続行し（ステップＳＴ７）、一連の動作を終了する。また、ステップＳＴ１０で再起動してはならないか、あるいはステップＳＴ１２で光ディスク１がシステムコントローラ８により再設定したものと合ってない場合は、いずれもステップＳＴ８に戻って上述の動作を繰り返す。
【００１９】
また、ステップＳＴ６において、光ディスク１が初期設定中のパラメータと一致しない、つまり、光ディスク１がシステムコントローラ８により設定したものと合っていないならば、システムコントローラ８により各パラメータの設定を切換えるべく設定メモリ１１におけるパラメータの再設定を行い（ステップＳＴ１３）、モータ２を回転して、再設定した光ディスク１の光ピックアップを点灯させて、再起動処理に入る（ステップＳＴ１４）。
【００２０】
次に、装着した光ディスク１が再設定したパラメータと一致するか否かを判別し（ステップＳＴ１５）、つまり、再起動してよいか否かを判別する。この場合も、上述のステップＳＴ４と同様の判定処理を用いてよい。
そして、ステップＳＴ１５で、起動してよければ、復調回路１０から読み出されたデータよりその光ディスク１を識別し（ステップＳＴ１６）、光ディスク１が再設定されたパラメータと一致するか否かを判別し（ステップＳＴ１７）、つまり、光ディスク１がシステムコントローラ８により再設定したものと合っているか否かを判別し、合っていれば、再生モードを続行し（ステップＳＴ７）、一連の動作を終了する。また、ステップＳＴ１５で再起動してはならないか、あるいはステップＳＴ１７で光ディスク１がシステムコントローラ８による設定と合ってない場合は、いずれもステップＳＴ１３に戻って上述の動作を繰り返す。
【００２１】
以上のように、この実施の形態１によれば、光ディスクの１つであるＣＤとＤＶＤ間で明らかに異なるパラメータを用い、このパラメータを一方の光ディスクに初期設定し、起動段階でその光ディスクを判別して、異なる場合には、他方の光ディスクへその設定を切り換えて起動を行なうので、再生する光ディスクの初期の誤判別を確実に回避することができ、また、それぞれの光ディスクで安定した起動時間が得られる。
なお、上記実施の形態では、光ディスクとしてＣＤとＤＶＤの場合について説明したが、その他の光ディスクにも同様に適用でき、同様の効果を得ることができる。
【図面の簡単な説明】
【００２２】
【図１】この発明の実施の形態１による光ディスク再生装置の構成を示すブロック図である。
【図２】この発明の実施の形態１による光ディスク再生装置の要部の具体例を示す構成図である。
【図３】この発明の実施の形態１の動作を説明するためのフローチャートである。
【符号の説明】
【００２３】
１  光ディスク、２  モータ、３  ＣＤ用光ピックアップ、４  ＤＶＤ用光ピックアップ、５  モータ駆動回路、６  レーザ駆動回路、７  サーボ制御回路、８  システムコントーラ、９  プリアンプ、１０  復調回路、１１  設定メモリ、８１  情報判断部、８２  駆動部。
【図１】
2006085867.tif 000003
【図２】
2006085867.tif 000004
【図３】
2006085867.tif 000005